(57)【要約】【課題】ユーザは、移動体向けテレビ放送の受信状態が安定している場所を知る手段を持たないため、どこで安定して受信できるかその場所に行くまでわからない。【解決手段】携帯受信端末は放送を受信すると、受信状況情報を受信状況受信サーバ（Webサーバ）に送信する。また、携帯受信端末のユーザーが指定地域に関する受信状況の表示を要求すると、携帯受信端末は前記Webサーバから地域受信状況情報と受信端末表示制御情報を取得し、地域受信状況情報を受信端末表示制御情報に基づいて表示する。【選択図】図１
2005204122.tif 000002
【特許請求の範囲】
【請求項１】
コンテンツを放送波に重畳して送信する送信手段と、
前記送信手段によって放送されたコンテンツを移動しながら受信可能な受信端末と、
前記受信端末が接続可能なネットワーク回線と、
前記受信端末から前記ネットワーク回線を介して送信される受信状況情報を蓄積する受信状況蓄積手段と、
地図情報を蓄積している地図情報データベースと、
受信者が指定地域に関する受信状況の表示を要求した場合、前記受信端末から前記ネットワーク回線を介して送信される指定地域情報を受信する指定地域情報受信手段と、
前記指定地域情報受信手段から指定地域情報に基づいて、受信状況蓄積手段に蓄積されている受信状況情報を取得し、さらに前記地図情報データベースから地図情報を取得し、指定地域受信状況情報を作成する指定地域受信状況情報作成手段と、
前記指定地域受信状況情報を受信端末に送信する指定地域受信状況情報送信手段を具備することを特徴とする受信状況確認システム。
【請求項２】
前記受信状況情報は、少なくとも受信状況の良好度を表す情報、受信場所、受信日時を含むことを特徴とする請求項１に記載の受信状況確認システム。
【請求項３】
前記指定地域受信状況情報は、少なくとも１つの画像を含むことを特徴とする請求項１に記載の受信状況確認システム。
【請求項４】
前記指定地域受信状況情報作成手段は、指定地域の地図上に指定地域内の各地点の受信状況をｎ段階のバーで表示した画像を指定地域受信状況情報として作成することを特徴とする請求項１に記載の受信状況確認システム。
【請求項５】
前記指定地域受信状況情報作成手段は、指定地域内の各地点の受信状況の受信日時がどれだけ古いかを一定時間単位で表すために、前記画像上に一定時間単位ごとにバーの色あるいはパターンを変えて表示した画像を指定地域受信状況情報として作成することを特徴とする請求項４に記載の受信状況確認システム。
【請求項６】
前記指定地域受信状況情報作成手段は、指定地域の地図上に指定地域内の各地点の受信状況をｎ段階の画像の大きさで表示した画像を指定地域受信状況情報として作成することを特徴とする請求項１に記載の受信状況確認システム。
【請求項７】
前記指定地域受信状況情報作成手段は、指定地域の地図上に指定地域内の各地点の受信状況の有効範囲を表示した画像を指定地域受信状況情報として作成することを特徴とする請求項１に記載の受信状況確認システム。
【請求項８】
請求項４〜７記載の指定地域受信状況情報作成手段は、請求項４〜７記載の画像上にさらに指定地域内の各地点の受信状況の受信日時を表示した画像を指定地域受信状況情報として作成することを特徴とする受信状況確認システム。
【請求項９】
放送波のコンテンツを受信する受信手段と、
現在の位置情報を取得可能な位置情報取得手段と、
ネットワークに接続するネットワーク接続手段と、
指定地域を入力するための入力手段と、
前記ネットワークを介して受信状況情報や指定地域情報を送信する情報送信手段と、
前記ネットワークから指定地域情報で指定した地域の指定地域受信状況情報を取得する指定地域受信状況情報取得手段と、
指定地域受信状況情報に基づいて、画像を表示する表示装置を具備することを特徴とする受信端末。
【請求項１０】
当該受信端末は、地上波デジタルテレビ放送（１セグ）を受信可能な携帯端末であることを特徴とする請求項９に記載の受信端末。
【請求項１１】
当該受信端末は、地上波デジタルテレビ放送（１２セグ）を受信可能な車載端末であることを特徴とする請求項９に記載の受信端末。
【発明の詳細な説明】
【技術分野】
【０００１】
本発明は、移動体向け放送における受信状況情報を収集し、受信者からの要求により指定地域の受信状況を地図情報と共に表示する受信状況確認システム、および携帯端末や移動体端末等の受信端末に関するものである。
【背景技術】
【０００２】
放送波における受信障害は、種々の要因により発生する。例えば、放送設備における送信障害や、地上波放送におけるスポラティックＥ層を要因とする混信や気象条件を要因として発生する受信障害や、衛星放送における降雨減衰を要因とする受信障害や、工事や幹線道路などから発生するノイズ源を要因とする受信障害などがある。これらの受信障害が発生した場合に受信障害情報を放送局に通知する発明としては、特許文献１に記載のものがある。
【０００３】
特許文献１に記載された受信障害通知システムは、受信者が情報端末を介して発信する受信障害情報を収集する受信障害情報収集手段と、前記受信障害情報に基づいて受信障害発生地域を推定する受信障害発生地域推定手段と、前記受信障害発生地域の受信者の情報端末に通信手段を利用して前期受信障害が発生した旨の障害通知を行う障害通知手段を有する構成である。
【０００４】
受信障害が発生した場合、受信者が情報端末を介して受信障害情報の発信を行い、受信障害通知システムは、前記受信障害情報を受信し、受信障害の発生している地域（受信障害発生地域）を推定し、障害通知を当該発生地域の受信者の情報端末に行う。
【０００５】
以上により、放送事業者は、受信障害の発生・解消を知り、受信障害発生地域の受信者に障害を知らせることができる。
【特許文献１】特開２００２−１１１６１７号公報
【発明の開示】
【発明が解決しようとする課題】
【０００６】
しかしながら、個々の受信者の受信障害状況を、受信者同士は知りえない。そのため、現在は安定受信できている受信者が障害の発生している受信者と同じ場所に行くと、受信障害に見まわれてしまうという課題がある。本発明は以上の課題を解決することを目的としものであり、また更に本発明は、上記課題を解決するとともに、地図情報と受信状況を受信者にわかりやすい形態で提供することを目的とする。
【課題を解決するための手段】
【０００７】
上記課題を解決するために、第１の本発明（請求項１に記載の本発明に対応）における受信状況確認システムは、コンテンツを放送波に重畳して送信する送信手段と、前記送信手段によって放送されたコンテンツを移動しながら受信可能な受信端末と、前記受信端末が接続可能なネットワーク回線と、前記受信端末から前記ネットワーク回線を介して送信される受信状況情報を蓄積する受信状況蓄積サーバと、受信者が指定地域に関する受信状況の表示を要求した場合、前記受信端末から前記ネットワーク回線を介して送信される指定地域情報を受信する指定地域情報受信手段と、地図情報を蓄積している地図情報データベースと、前記指定地域情報受信手段から指定地域情報に基づいて、受信状況蓄積手段に蓄積されている受信状況情報を取得し、さらに前記地図情報データベースから地図情報を取得し、地域受信情報を作成する指定地域受信情報作成手段と、前記指定地域受信情報を受信端末に送信する指定地域受信情報送信手段を具備する。
【０００８】
第１の本発明により、受信者が指定した地域（例えば、移動予定先）における受信状況を確認することができる。
【０００９】
第２の本発明（請求項４に記載の本発明に対応）における受信状況確認システムの指定地域受信状況情報作成手段は、指定地域の地図上に指定地域内の各地点の受信状況をｎ段階のバーで表示した画像を指定地域受信状況情報として作成する。（例えば、３段階のバー（３段、２段、１段）で表示した場合、３段は強、２段は中、１段は弱である。）
第３の本発明（請求項５に記載の本発明に対応）における受信状況確認システムの指定地域受信状況情報作成手段は、指定地域内の各地点の受信状況の受信日時がどれだけ古いかを一定時間単位で表すために、第２の本発明の画像上に一定時間単位ごとにバーの色あるいはパターンを変えて表示した画像を指定地域受信状況情報として作成する。（例えば、３０分単位で、３０分以内：緑、１時間以内：黄色、１時間３０分以内：赤で各バーを表示する。）
第４の本発明（請求項６に記載の本発明に対応）における受信状況確認システムの指定地域受信状況情報作成手段は、指定地域の地図上に指定地域内の各地点の受信状況をｎ段階の画像の大きさで表示した画像を指定地域受信状況情報として作成する。（例えば、３段階のアイコン（大、中、小）で表示した場合  アイコン（大）は強、アイコン（中）は中、アイコン（小）は弱である。）
第５の本発明（請求項７に記載の本発明に対応）における受信状況確認システムの指定地域受信状況情報作成手段は、指定地域の地図上に指定地域内の各地点の受信状況の有効範囲を表示した画像を指定地域受信状況情報として作成する。
【００１０】
第６の本発明（請求項８に記載の本発明に対応）における受信状況確認システムの指定地域受信状況情報作成手段は、第２〜第５の本発明の画像上にさらに指定地域内の各地点の受信状況の受信日時を表示した画像を指定地域受信状況情報として作成する。
【００１１】
第７の本発明（請求項９に記載の本発明に対応）における受信端末は、放送波のコンテンツを受信する受信手段と、現在の位置情報を取得可能な位置情報取得手段と、ネットワークに接続するネットワーク接続手段と、指定地域を入力するための入力手段と、前記ネットワークを介して受信状況情報や指定地域情報を送信する情報送信手段と、前記ネットワークから指定地域情報で指定した地域の指定地域受信状況情報を取得する指定地域受信状況情報取得手段と、指定地域受信状況情報に基づいて、画像を表示する表示装置を具備する。
【発明の効果】
【００１２】
第１の本発明により、受信者は、受信者が指定した地域（例えば、移動予定先）における受信状況を確認することができる。
従って、移動する前に移動予定先に関する受信状況を確認することにより、移動予定先の変更などの対応を取ることができる。
【００１３】
第２の本発明により、受信者は、指定地域内の受信状況の良好度をｎ段階のバーで視覚的に確認することができる。バー表示であるため、低解像度の表示能力しか持たない受信端末でも表示可能である。
【００１４】
第３の本発明により、受信者は、バーの色またはパターンにより、その情報の大まかな鮮度（確からしさ）を知ることができる。数種類の色種別またはパターンの種別がつく程度の解像度の表示能力を持つ受信端末で表示可能である。
【００１５】
第４の本発明により、受信者は、指定地域内の受信状況の良好度を画像（例えばアイコン）の大きさで確認することができる。第２の本発明のバー表示に対し、より高精細な画像で、ユーザーに受信状況の良好度を通知することができる。
【００１６】
第５の本発明により、受信者は、第２および第４の本発明で示した指定地域内の各地点の受信状況の良好度に加え、その有効範囲を確認することができる。
【００１７】
第６の本発明により、受信者は、各地点の受信日時を知ることができ、第３の本発明に対し、より正確な受信情報を得ることができる。バー表示やアイコンと一緒に受信日時（文字）が表示できる高精細な解像度を持つ受信端末で利用可能である。
【００１８】
第７の本発明により、上記様々な表示方法を実現できる受信端末を提供できる。
【発明を実施するための最良の形態】
【００１９】
地上波１セグ放送を受信し、ネットワーク回線を介して受信状況を確認することが可能な受信状況確認システム、受信端末に関して、以下に図面を用いて説明する。
【実施例１】
【００２０】
図１は、本願第１の発明の受信状況確認システムの実施例に係るブロック図である。１０１は放送局の送信手段、１０２は現在の位置情報を取得可能な受信端末、１０３はネットワーク回線（例えばインターネット、公衆電話回線など）、１０４は受信状況蓄積サーバ、１０５はウェブサーバ、１０６は地図情報データベースである。ここで、ウェブサーバ１０５は、指定地域情報受信手段と、指定地域受信状況情報作成手段と、指定地域受信状況情報送信手段を備える。
【００２１】
放送局の送信手段１０１により放送されたコンテンツは、受信者が持つ受信端末１０２で受信される。受信端末１０２は、放送波を受信した場合、ネットワーク回線１０３を介して受信状況情報を受信状況蓄積サーバ１０４に送信する。受信状況情報は、少なくとも受信状況の情報（例えば受信感度やエラーレート）、受信場所に関する位置情報、受信日時を含むデータとし、受信状況蓄積サーバ１０４は、複数の受信端末１０２からこれらの受信状況情報を蓄積する。
【００２２】
受信者が移動予定先の受信状況を知りたい場合、受信端末１０２はネットワークを介してウェブサーバ１０５に接続し、（移動予定先の）指定地域情報を送信する。ウェブサーバ１０５は指定地域情報を受信後、指定地域情報が示す地域の受信状況情報を受信状況蓄積サーバ１０４から取得し、指定地域情報に関する地図情報を地図情報データベース１０６から取得し、指定地域受信状況情報を作成する。指定地域受信状況情報は、少なくとも地図を含む画像を1つは含むデータとする。
【００２３】
ウェブサーバ１０６は、作成した指定地域受信状況情報を当該受信端末１０２に送信し、受信端末１０２は、指定地域受信状況情報に基づいて画像を表示することにより、受信者が希望した地域の受信状況を確認することができる。
【００２４】
なお、上記説明では、受信端末１０２からの指定地域情報をウェブサーバ１０５が受信した時にウェブサーバ１０５は指定地域受信状況情報を作成するものとしたが、受信端末１０２からの指定地域情報を待たず、一定の時間間隔でウェブサーバ１０５が特定地域の受信状況情報を受信状況蓄積サーバ１０４から取得し、前記特定地域の地図情報を地図情報データベース１０６から取得し、特定地域ごとの指定地域受信状況情報を作成し、受信端末１０２からの指定地域情報が既に取得している特定地域であった場合、作成済みの指定地域受信状況情報を送信しても良い。このようにすることで、受信端末１０２への応答性を高めることができる。ここで、特定地域とは、利用頻度が高い地域や政令指定都市などである。
【００２５】
図２は、受信状況蓄積サーバ１０４が蓄積する受信状況情報の説明図である。受信端末１０２が送信する受信状況情報は、位置情報２０１と電界強度２０２とビットエラーレート２０３と受信日時２０４である。例えば、位置情報２０１は、携帯電話で利用されているＧＰＳ（Ｇｌｏｂａｌ  Ｐｏｓｉｔｉｏｎｉｎｇ  Ｓｙｓｔｅｍ）情報（緯度、経度など）やＰＨＳ（Ｐｅｒｓｏｎａｌ  Ｈａｎｄｙ  Ｐｈｏｎｅ  Ｓｙｓｔｅｍ）の位置情報であり、電界強度２０２は受信時のの電波の強さを示す値であり、ビットエラーレート２０３は、ビットの誤り率である。
【００２６】
なお、図２では受信状況の良好度を表す情報の例として、電界強度２０２とビットエラーレート２０３をあげたが、電界強度２０２だけでも良い。また、図４〜図７で示す受信状況情報は、電界強度だけで説明する。
【００２７】
図３は、受信端末１０２がネットワーク回線１０３を介してウェブサーバ１０５に接続した際にウェブサーバ１０５から送信され、受信端末１０２で表示される画面の構成を示す図である。以下、３つの例に分けて説明する。
【００２８】
（例１）地図上から指定地域を選択する場合、まず３０１の地方の選択画面が表示される。ここで、「近畿」を選択すると、受信端末１０２は、選択した地方に関する情報（この場合「近畿」）をウェブサーバ１０５に送信する。ウェブサーバ１０５は選択された地方の選択画面３０２を受信端末１０２に送信し、受信端末１０２は送信された選択画面３０２を表示する。ここで、「大阪」を選択すると、受信端末１０２は、選択した県に関する情報（この場合「大阪」）をウェブサーバ１０５に送信する。ウェブサーバ１０５は選択された県の地図を受信端末１０２に送信し、受信端末１０２は県の地図を表示する。受信者は、受信状況を確認したい位置に十字カーソル３０４をあわせて、位置を決定し、送信ボタン３０５を押すと、受信端末１０２は指定地域情報をウェブサーバ１０５に送信する。
【００２９】
なお、受信端末１０２は、３０１〜３０３の画面を操作できる操作キーを持っているものとする。
【００３０】
（例２）指定地域を住所で入力する場合、まず３０６の住所入力画面が表示される。受信者は、受信状況を確認したい地域の住所を住所入力欄３０７に入力し、送信ボタン３０８を押すと、受信端末１０２は住所をウェブサーバ１０５に送信する。この場合、ウェブサーバ１０５は、（図示していないが）住所データベースを持っており、住所データベースを参照し、指定地域情報を取得するものとする。なお、受信端末１０２は、漢字の入力手段を持っているものとする。
【００３１】
（例３）指定地域を郵便番号で入力する場合、まず３０９の郵便番号入力画面が表示される。受信者は、受信状況を確認したい地域の郵便番号を郵便番号入力欄３１０に入力し、送信ボタン３１１を押すと、受信端末１０２は郵便番号をウェブサーバ１０５に送信する。この場合、ウェブサーバ１０５は、（図示していないが）郵便番号データベースを持っており、郵便番号データベースを参照し、指定地域情報を取得するものとする。なお、受信端末１０２は、数字の入力手段を持っているものとする。
【００３２】
以上、図３で説明した技術は、既にマピオン（http://www.mapion.co.jp/）などで利用されている公知の技術である。
【００３３】
図４〜図８は、取得した指定地域情報に基づいて、ウェブサーバ１０５が地図情報データベース１０６から取得した指定地域の地図情報（４０１、５０１、６０１、７０１、８０１）と、受信状況蓄積サーバ１０４から取得した指定地域の範囲内の受信状況情報（４０２、５０２、６０２、７０２、８０２）より作成する指定地域受信状況情報（４０３、５０３、６０３、７０３、８０３）の画面の構成に関する図である。ここで、指定地域の範囲内の受信状況情報とは、指定地域の地図情報の領域内に含まれる位置情報を持つ受信状況情報のことである。すなわち、地図情報の左上角に相当する位置情報（Ｘ０，Ｙ０）、右下角に相当する位置情報（Ｘ１，Ｙ１）で表される領域内に存在する位置情報を持つ受信状況情報のみを取得することとなる。
【００３４】
図４は、指定地域受信状況情報がバー表示の場合を示す。地図情報４０１の上に受信状況情報４０２の各位置情報における電界強度をバー表示したものが指定地域受信状況情報４０３である。以下に手順を説明する。
【００３５】
手順（１）：位置情報から画像上の座標への変換をする。
【００３６】
地図情報の左上角に相当する位置情報（Ｘ０，Ｙ０）の画像上の座標を（０，０）、右下角に相当する位置情報（Ｘ１，Ｙ１）の画像上の座標を（Ｈ，Ｖ）とすると、ウェブサーバ１０５は、数式１により画像上の座標に変換する。ここで、ｉは０以上の整数（但し、最大数は指定地域の範囲内で検索された数）である。
【００３７】
（数式１）  ｈｉ＝（ｘｉ−Ｘ０）／（Ｘ１−Ｘ０）＊Ｈ
ｖｉ＝（ｙｉ−Ｙ０）／（Ｙ１−Ｙ０）＊Ｖ）
手順（２）：受信状況情報４０２の電界強度をｎ段（ｎ＝３）に判別する。
【００３８】
例えば、−４０ｄＢ以下を１段（弱）、−４０ｄＢ〜−２０ｄＢを２段（中）、−２０ｄＢ以上を３段（強）と定義し、受信状況情報４０２の電界強度Ｓ１＝−５０ｄＢ、Ｓ２＝−４４ｄＢ、Ｓ３＝−３０ｄＢとした場合、Ｓ１、Ｓ２は１段（弱）、Ｓ３は２段（中）と判別される。
【００３９】
手順（３）：手順（１）、（２）で得た座標情報と段数情報により、地図の画像上にバーを描画する。
【００４０】
以上、（１）〜（３）の手順を指定地域の範囲内で検索された数だけ繰り返すことにより、指定地域受信状況情報として受信状況の良好度がバー表示された画像を作成することができる。上記手順の結果得られる指定地域受信状況情報４０３の画像の構成例において、４０２ａは位置情報（ｘ１，ｙ１）の受信状況情報を表し、４０２ｂは位置情報（ｘ２，ｙ２）の受信状況情報を表し、４０２ｃは位置情報（ｘ３，ｙ３）の受信状況情報を表し、４０３ａは４０２ａ、４０３ｂは４０２ｂ、４０３ｃは４０２ｃに対応する。
【００４１】
図５は、指定地域受信状況情報が時間パターン表示の場合である。図４で説明した手順（１）〜（２）までは同様である。
【００４２】
手順（３）：受信日時を現在時刻との差を求め、一定時間単位毎にパターン番号を求める。
【００４３】
図５において、現在時刻を２００３／０８／２６  １４：２９とし、一定時間単位を３０分とし、３種類のパターン（０分〜３０分未満：パターン０、３０分以上〜６０分未満：パターン１、６０分以上〜９０分未満：パターン２）とすると、５０２ａの現在時刻と受信日時の差は８９分でパターン番号は２、５０２ｂの現在時刻と受信日時の差は５７分でパターン１、５０２ｃの現在時刻と受信日時の差は２２分でパターン０となる。
【００４４】
手順（４）：手順（１）〜（３）で得た座標情報と段数情報とパターン番号により、地図の画像上にバーを描画する。
【００４５】
以上、（１）〜（４）の手順を指定地域の範囲内で検索された数だけ繰り返すことにより、指定地域受信状況情報として受信状況の良好度がバー表示された画像を作成することができる。上記手順の結果得られる指定地域受信状況情報５０３の画像の構成例において、５０２ａは位置情報（ｘ１，ｙ１）の受信状況情報を表し、５０２ｂは位置情報（ｘ２，ｙ２）の受信状況情報を表し、５０２ｃは位置情報（ｘ３，ｙ３）の受信状況情報を表し、５０３ａは５０２ａ、５０３ｂは５０２ｂ、５０３ｃは５０２ｃに対応する。
【００４６】
図６は、指定地域受信状況情報がアイコン表示の場合であり、図４で説明した手順（１）〜（３）と同様である。この場合、手順（３）においてバーを描画する代わりにアイコンのビットマップを段数に応じて拡大・縮小して描画する。また、アイコンの大きさで受信状況の良好度を示す。なお、段数と同じ数だけ、大きさの異なるアイコンを用意し、段数に応じて描画しても良い。上記手順の結果得られる指定地域受信状況情報６０３の画像の構成例において、６０２ａは位置情報（ｘ１，ｙ１）の受信状況情報を表し、６０２ｂは位置情報（ｘ２，ｙ２）の受信状況情報を表し、６０２ｃは位置情報（ｘ３，ｙ３）の受信状況情報を表し、６０３ａは６０２ａ、６０３ｂは６０２ｂ、６０３ｃは６０２ｃに対応する。
【００４７】
図７は、指定地域受信状況情報がエリア表示の場合である。図４で説明した手順（１）〜（３）と同様である。この場合、さらに各位置情報が表す情報の有効範囲を半径ｒとし、手順（１）で変換した座標を中心に半径ｒの円を描画する。上記手順の結果得られる指定地域受信状況情報７０３の画像の構成例において、７０２ａは位置情報（ｘ１，ｙ１）の受信状況情報を表し、７０２ｂは位置情報（ｘ２，ｙ２）の受信状況情報を表し、７０２ｃは位置情報（ｘ３，ｙ３）の受信状況情報を表し、７０３ａは７０２ａ、７０３ｂは７０２ｂ、７０３ｃは７０２ｃに対応する。
【００４８】
図８は、指定地域受信状況情報が時間表示の場合であり、図６で説明した手順（１）〜（３）と同様である。この場合、さらに受信状況情報の受信時間もあわせて描画する。上記手順の結果得られる指定地域受信状況情報８０３の画像の構成例において、８０２ａは位置情報（ｘ１，ｙ１）の受信状況情報を表し、８０２ｂは位置情報（ｘ２，ｙ２）の受信状況情報を表し、８０２ｃは位置情報（ｘ３，ｙ３）の受信状況情報を表し、８０３ａは８０２ａ、８０３ｂは８０２ｂ、８０３ｃは８０２ｃに対応する。
【００４９】
以上、図４〜図８で説明した手順で、ウェブサーバ１０５は、各種画像を作成することができる。ウェブサーバ１０５の作成した画像を受信端末１０２は受信・表示することで受信者は、指定した地域の受信状況を確認することができる。
【産業上の利用可能性】
【００５０】
携帯テレビ、車載テレビ、携帯情報端末、移動体端末、携帯電話、ＰＤＡ（Ｐｅｒｓｏｎａｌ  Ｄｉｇｉｔａｌ  Ａｓｓｉｓｔａｎｔｓ）、モバイル機器、ノートＰＣなどの形態で、移動しながら放送波を受信する機能を持つ電子機器に適用できる。
【図面の簡単な説明】
【００５１】
【図１】本発明の受信状況確認システムの構成図
【図２】本発明の一実施形態に係る図１の受信状況蓄積サーバが蓄積する受信状況情報の説明図
【図３】本発明の一実施形態に係る図１の受信端末がウェブサーバに接続した時にウェブサーバから送信され、受信端末１０２で表示される画面の構成図
【図４】本発明の一実施形態に係る図１のウェブサーバが作成する指定地域受信状況情報の画面（バー表示）の構成図
【図５】本発明の一実施形態に係る図１のウェブサーバが作成する指定地域受信状況情報の画面（時間パターン表示）の構成図
【図６】本発明の一実施形態に係る図１のウェブサーバが作成する指定地域受信状況情報の画面（アイコン表示）の構成図
【図７】本発明の一実施形態に係る図１のウェブサーバが作成する指定地域受信状況情報の画面（アイコン表示）の構成図
【図８】本発明の一実施形態に係る図１のウェブサーバが作成する指定地域受信状況情報の画面（アイコン表示）の構成図
【符号の説明】
【００５２】
１０１    放送局の送信手段
１０２    現在の位置情報を取得可能な受信端末
１０３    ネットワーク回線
１０４    受信状況蓄積サーバ
１０５    ウェブサーバ
１０６    地図情報データベース
２０１    位置情報
２０２    電界強度
２０３    ビットエラーレート
２０４    受信日時
３０１    地方の選択画面
３０２    選択された地方の選択画面
３０３    選択された県における地点選択画面
３０４    十字カーソルキー
３０５、３０８、３１１    送信ボタン
３０６    住所入力画面
３０７    住所入力欄
３０９    郵便番号入力画面
３１０    郵便番号入力欄
４０１、５０１、６０１、７０１、８０１    指定地域の地図情報
４０２、５０２、６０２、７０２、８０２    指定地域の範囲内の受信状況情報
４０３、５０３、６０３、７０３、８０３    地図情報と受信状況情報から作成される指定地域受信状況情報
４０４、５０４、７０４    受信状況の良好度を示すバーの種類
５０５    バーのパターンが表す時間情報の種類
６０４、８０４    受信状況の良好度を示すアイコンの種類
４０２ａ、５０２ａ、６０２ａ、７０２ａ、８０２ａ    位置情報（ｘ１，ｙ１）の受信状況情報
４０２ｂ、５０２ｂ、６０２ｂ、７０２ｂ、８０２ｂ    位置情報（ｘ２，ｙ２）の受信状況情報
４０２ｃ、５０２ｃ、６０２ｃ、７０２ｃ、８０２ｃ    位置情報（ｘ３，ｙ３）の受信状況情報
４０３ａ、４０３ｂ、４０３ｃ    位置情報（ｘｉ，ｙi）の受信状況情報を表すバー（ｉ＝１〜３）
５０３ａ、５０３ｂ、５０３ｃ    位置情報（ｘｉ，ｙi）の受信状況情報と時間パターンを表すバー（ｉ＝１〜３）
６０３ａ、６０３ｂ、６０３ｃ    位置情報（ｘｉ，ｙi）の受信状況情報を表すアイコン（ｉ＝１〜３）
７０３ａ、７０３ｂ、７０３ｃ    位置情報（ｘｉ，ｙi）の受信状況情報とエリアを表すバー（ｉ＝１〜３）
８０３ａ、８０３ｂ、８０３ｃ    位置情報（ｘｉ，ｙi）の受信状況情報と時間情報を表すアイコン（ｉ＝１〜３）
【図１】
2005204122.tif 000003
【図２】
2005204122.tif 000004
【図３】
2005204122.tif 000005
【図４】
2005204122.tif 000006
【図５】
2005204122.tif 000007
【図６】
2005204122.tif 000008
【図７】
2005204122.tif 000009
【図８】
2005204122.tif 000010